(57)【要約】      （修正有）【課題】手間のかかる一文字掛けもしくは十文字掛けに紐を縛って箱を固定する代わりに、簡便に短時間で固定することのできる紐つき骨壷箱を提供する。【解決手段】一文字掛け、もしくは十文字掛けの紐にて上蓋が固定されている骨壷箱において、紐の上蓋の中央に位置する場所には蝶結びの結び目が接着剤で紐に固定されており、紐の両端には面ファスナーが取り付けられており、紐は箱中央部を縦に一周し、両端に取り付けられた各面ファスナーにて両端を連結することで、箱に取り付けられている骨壷箱を考案した。【選択図】図３
0003135206.tif 000002
【実用新案登録請求の範囲】
【請求項１】
一文字掛け、もしくは十文字掛けの紐にて上蓋が固定されている骨壷箱において、該紐の上蓋の中央に位置する場所には蝶結びの結び目が接着剤で紐に固定されており、該紐の両端には面ファスナーが取り付けられており、該紐は箱中央部を縦に一周し、両端に取り付けられた各面ファスナーにて両端を連結することで、箱に取り付けられている骨壷箱
【請求項２】
骨壷箱の相対する側壁の底部中央に紐を通すための一対の穴が設けられており、紐がこの穴と底の下を通って箱中央部を縦に一周するように取り付けられている請求項１に記載の骨壷箱
【請求項３】
箱を固定するための紐は布製であることを特徴とする請求範囲１または２に記載の骨壷箱
【考案の詳細な説明】
【技術分野】
【０００１】
本考案は、骨壷を入れる木の箱の最適な位置に面ファスナーを利用した取り付け紐で箱を固定する考案である。
【背景技術】
【０００２】
従来骨入り箱、骨壷入り箱など木製で色々なものが世に出されており、それらの箱の上蓋をした後、デザインなどを考慮し、紐などで縛り箱を固定する必要があった。現在このような箱の形には四角柱の六面体、八角柱などが出回っている、それらを縛る方法は、従来から長く継承されている黒紐などで、十文字に箱の下から上に這わせ、上の結び目で蝶結びにして固定するのが一般的な方法であった。この方法だと、途中で紐が緩んだり、ずれたりする事のないようにしっかりと結ぶためには手間のかかるものであった。また、一文字掛けでは更に紐が緩みやすく、ずれやすいため、余計にしっかりと結ぶ必要があり、一文字掛けでもやはり手間のかかるものであった。
そのため、骨壷を入れる箱において、一文字掛けでも十文字掛けでも、誰でも簡便に上蓋を簡単に固定できる箱の固定形態が望まれていた。
【特許文献１】特開２００１−２０３５号公報
【考案の開示】
【考案が解決しようとする課題】
【０００３】
そこで本考案は、このような従来技術の有する問題点に鑑みてなされたものであり、その課題とする所は、手間のかかる一文字掛けもしくは十文字掛けに紐を縛って箱を固定する代わりに、簡便に短時間で固定することのできる紐つき骨壷箱を提案することにある。
【課題を解決するための手段】
【０００４】
本考案者は上記課題を達成すべく鋭意検討した結果、一文字掛け、もしくは十文字掛けの紐にて上蓋が固定されている骨壷箱において、該紐の上蓋の中央に位置する場所には蝶結びの結び目が接着剤で紐に固定されており、該紐の両端には面ファスナーが取り付けられており、該紐は箱中央部を縦に一周し、両端に取り付けられた各面ファスナーにて両端を連結することで、箱に取り付けられている骨壷箱を考案した。
【０００５】
本考案の他の態様は、骨壷箱の相対する側壁の底部中央に紐を通すための一対の穴が設けられており、紐がこの穴と底の下を通って箱中央部を縦に一周するように取り付けられている請求項１に記載の骨壷箱取り付けられている骨壷箱である。
【０００６】
又、本考案によれば、箱を固定するための紐は布製が好ましく、紐の一方の先端には面ファスナーの一方の面が貼られ、他方の先端には面ファスナーの他方の面が貼られ、面ファスナーの両面が結合することで両先端を連結できるものである。なおこの紐の一端を側壁の底部中央に固定し、底、対面の側壁、上蓋、側壁と箱を縦に一周し、面ファスナーの両面を結合させたとき上蓋の中央部に位置するところに、蝶結びの結び目を接着剤で紐に固定しておけば、紐で箱全体を固定したとき箱の上蓋中央に結び目が存在するようにできる。逆に結び目を上蓋中央におき、面ファスナーを取り付けた紐の一端を上蓋、側壁、底、対面の側壁の底部中央まで回して固定し、紐の他の一端を上蓋より対面の側壁に沿って下ろし、面ファスナーの両面を結合しても、上蓋中央に蝶結びの結び目を存在させて、箱を固定できる。
【０００７】
以上のようにして、一文字掛けの箱の固定がなされる。十文字掛けの場合は最初に、両端に面ファスナーのそれぞれの面が貼られてはいるが、蝶結びの結び目は取り付けられていない紐を用い、紐の一端を側壁の底部中央に固定し、底、対面の側壁、上蓋、側壁と箱を縦に一周し、面ファスナーの両面を結合させて固定する。ついで上蓋の中央部に位置するところに、蝶結びの結び目を接着剤で固定してある紐を用いて、同様にして紐の一端を側壁の底部中央に固定し、底、対面の側壁、上蓋、側壁と箱を縦に一周し、面ファスナーの両面を結合させて固定することで、箱の上蓋中央に結び目が存在し、十文字掛けの紐で固定された箱となる。
【０００８】
また両端に面ファスナーが取り付けられている二本の紐を、結び目が接着剤で取り付けられている場所にて十字に接着されている紐のセットを用い、結び目を上蓋中央におき、面ファスナーを取り付けた紐の一端を上蓋、側壁、底、対面の側壁の底部中央まで回して固定し、紐の他の一端を上蓋より対面の側壁に沿って下ろし、面ファスナーの両面を結合して、さらに他の紐も同様にして結合することによっても、上蓋中央に蝶結びの結び目を存在させて、十字掛けで箱を固定できる。
【０００９】
本考案の面ファスナーとは鉤(フック)と輪（ループ）の組み合わせで着脱自在とした面ファスナーのことで、通常は一方の面がフック面であれば、他方の面をループ面として使用する。マジックテープ（登録商標）として市販されているものがその代表例である。本考案の紐では、一方の先端に面ファスナーのフック面が取り付けられれば、他方の先端にはループ面を取り付けることで両端を着脱自在にしかもしっかりと連結のできるものであり、その逆としても同様である。但し、フリーマジック（登録商標）のようにフックとループとを混在させてフック面とループ面の区別なく使用できるものを使用する場合は紐の両端に面ファスナーの同じ面を取り付けても良いことは当然である。
【考案の効果】
【００１０】
本考案の面ファスナー付き紐による箱の固定によれば、紐の緩みやずれなく簡単な操作により箱の固定ができる。操作が簡便であり誰が操作しても、きれいに、短時間で骨壷箱の固定ができるものである。
【考案を実施するための最良の形態】
【００１１】
以下、本考案の実施の最良の形態について説明するが本考案は以下の実施の形態に限定されるものではなく、本考案の趣旨を逸脱しない範囲で、当業者の通常の知識に基づいて以下の実施の形態に対し適宜変更、改良等が加えられたものも本発明の範囲に入ることが理解されるべきである。
【００１２】
本考案によれば、使用する箱は陶磁器、石等から出来ている骨壷を入れる箱で、その箱は木製である、大きさは色々なものがある。該箱を固定する紐は布でできていることが好ましく、該紐を用いて固定する形態は、立方体の箱を縦に一文字掛けで一周し、箱の頂上が蝶結び目となり箱を固定するものである。接着剤で紐に固定された蝶結び目を上蓋中央に置き、上蓋、側壁、底、対面の側壁の底部中央まで回して固定し、紐の他の一端を上蓋より先の側面の相対する側壁に沿って下ろし、紐の両端に取り付けた面ファスナーの両面を結合し紐を連結することで、上蓋中央に蝶結びの結び目を存在させて、箱を固定できる。
【００１３】
また、箱の底部の両側壁に一対の穴を予め設けた場合には、紐の一端を上蓋より側面に沿って下ろし、両側壁の一対の穴の片方の側壁にある穴を通し、底面を這わせもう一方の側壁まで持って来た所で、再度予め開けられているもう一方の穴を通し、そこで固定される。その際紐の一端上には面ファスナーの一面が取り付けられており、蝶結びから先に伸びている紐の他の一端上にも面ファスナーの他の一面が取り付けられており、両面を接着し固定できる構造となっている。この構造により骨壷入り箱の紐による固定が完成する。このように底部に穴を設けた場合には、紐は定位置に置かれ、位置ずれがより少なくなる。
【００１４】
本考案の一実施形態の実施例の更なる詳細について、図面を参照しつつ説明する。
【実施例】
【００１５】
以下、本考案を実施例に基づいて具体的に説明するが、本考案はこれらの実施例に限定されるものではない。
【００１６】
面ファスナー付き紐による骨壷入り箱の固定
【００１７】
（実施例1）
【００１８】
図１は面ファスナー６と蝶結び目２が取り付けられた箱固定紐５が一文字掛けで固定され、上蓋頂上面４の中央に蝶結び目が置かれた骨壷箱１の箱全体図を示す。
【００１９】
本態様を図３により説明すると、初めに立方体の箱と、箱固定紐５が用意される、紐の素材は布である。この箱固定紐５には予め上蓋頂上面４に付く蝶結び目２が接着剤３により固定されており、又箱固定紐５の先端８に面ファスナーのフック面９が貼られており、他の先端１０には面ファスナーのループ面１１（図３参照）が貼られている。箱固定紐５を図３の如く上蓋頂上面中央には蝶結び目２を置き、箱固定紐５を左側に面に沿って下ろし縦紐とし、ついで箱の底面７の下を這わせ箱の右側側面底部中央の位置で紐５の先端に着けた面ファスナーのループ面１１を固定し、該面ファスナーのループ面１１に蝶結び目２から来る右側の箱固定紐５の先端８に付けた面ファスナーのフック面９を付けた紐を矢印の如く持ってきてループ面１１とフック面９を貼り付けて固定する。このようにして図１に示した骨壷箱１が完成する。
【００２０】
図２は面ファスナー６と蝶結び目２が取り付けられた箱固定紐５と面ファスナー６'のみが取り付けられた箱固定紐５'により十文字掛けで固定され、上蓋頂上面４の中央に蝶結び目が置かれた骨壷箱１'の箱全体図を示す。
【００２１】
本態様を図４により説明すると、初めに蝶結び目２が取り付けられていない箱固定紐５'を図の如く箱を縦に一周させ、面ファスナー６'で両端を結合させ固定する。ついで前述の一文字掛けの場合と同様にして、超結び目２が固定されている箱固定紐５を用いて上蓋頂上面中央に蝶結び目２が来るようにして、箱を立てに一周させ、面ファスナーのフック面９とループ面１１を貼り付け固定することで、十文字掛けで固定され、上蓋頂上面４の中央に蝶結び目が置かれた図２の骨壷箱１'を得ることができる。
【００２２】
図５は箱固定紐５と箱固定紐５'とが、蝶結び目２の取り付けられている場所及び／または箱固定紐５と箱固定紐５'の交点１２で接着され、二本の箱固定紐がセットになっている場合の態様である。この場合はセットになっている箱固定紐を図のように箱の取り付け、ついで各固定紐の先端８及び８'に取り付けられている面ファスナーおフック面９及び９'を、それぞれの他の先端１０及び１０'に取り付けられているループ面１１及び１１'に貼り付け固定することで、十文字掛けで箱を固定できるものである。
【００２３】
図６は箱固定紐５を予め箱の底部に設けた穴１３を通し、底面７を這わせ、別の側の底穴１３を通しこの穴１３の直ぐ上の位置で紐５の先端に着けた面ファスナーのループ面１１を固定し、該面ファスナーのループ面１１に蝶結び目２から来る右側の箱固定紐８の先端に付けた面ファスナーのフック面９を付けた紐を矢印の如く持ってきてループ面１１とフック面９を貼り付けて固定する態様を示す。
【００２４】
本態様によれば図６に示すように、箱の底蓋７に設けられる穴１３は図の如く右、左両壁につけ、底を紐５が通る形態である。又底蓋の穴があいた右側の穴１３の直ぐ上で紐５の先端に取り付けられた面ファスナーのループ面６を固定して、紐の他の先端に取り付けた面ファスナーのフック面１０と結合させる。この場合ループ面とフック面を逆に取り付けても同様の効果が得られることは自明である。また紐５に面ファスナーや蝶結び目を固定する接着剤は公知の市販で販売されているものでよい。
【産業上の利用可能性】
【００２５】
本考案は、箱を面ファスナー付き紐で固定する産業に利用される、特に骨壷箱には好ましく利用される。
【図面の簡単な説明】
【００２６】
【図１】面ファスナーおよび蝶結び目付き紐により一文字掛けで固定された骨壷箱の全体斜視図
【図２】面ファスナーおよび蝶結び目付き紐により十文字掛けで固定された骨壷箱の全体斜視図
【図３】骨壷箱に一文字がけで紐を取り付ける説明図
【図４】骨壷箱に十文字掛けで紐を取り付ける説明図
【図５】骨壷箱に十文字掛けで紐を取り付ける他の態様の説明図
【図６】骨壷箱の底部に紐を通す穴を設け、紐を取り付ける説明図
【符号の説明】
【００２７】
１  面ファスナーおよび蝶結び目付き紐にて、一文字掛けで固定された骨壷箱の全体
１'  面ファスナーおよび蝶結び目付き紐にて、十文字掛けで固定された骨壷箱の全体
２  箱固定紐に取り付けられた蝶結び目
３  箱固定紐に蝶結び目を接着固定する接着剤
４  箱の上蓋頂上面
５  箱固定紐
５'  箱固定紐
６  面ファスナー
６'  面ファスナー
７  箱の底面
８  面ファスナーのフック面が張られている箱固定紐の先端
８'   面ファスナーのフック面が張られている箱固定紐の先端
９  面ファスナーのフック面
９'  面ファスナーのフック面
１０  面ファスナーのループ面が貼られている箱固定紐の先端
１０'  面ファスナーのループ面が貼られている箱固定紐の先端
１１  面ファスナーのループ面
１１'  面ファスナーのループ面
１２  二本の箱固定紐の交点
１３  箱固定紐を通すための穴
【図１】
0003135206.tif 000003
【図２】
0003135206.tif 000004
【図３】
0003135206.tif 000005
【図４】
0003135206.tif 000006
【図５】
0003135206.tif 000007
【図６】
0003135206.tif 000008